(57)【要約】      （修正有）【課題】容器の蓋の紛失、汚染、混同を防止することができる蓋置きを提供する。【解決手段】蓋置き１０は、蓋付き容器に係止させる係止部２０と、係止部２０と連結部５０を介して一体となる蓋を置くための置き部を備え、置き部が、蓋の下端を支持する支持平面を備え、支持平面の少なくとも係止部から遠位側に立設された壁部６０とを備えてなる。【選択図】図７
0003218581.tif 000002
【実用新案登録請求の範囲】
【請求項１】
蓋付き容器に係止させる係止部と、係止部と連結部を介して一体となる蓋を置くための置き部を備え、置き部が、蓋の下端を支持する支持平面を備え、支持平面の少なくとも係止部から遠位側に立設された壁部とを備えてなる、蓋置き。
【請求項２】
置き部が、支持平面の全周に亘って壁部が設けられてなる、請求項１に記載の蓋置き。
【請求項３】
置き部の支持平面の全周に亘る壁部に蓋の持ち上げのために切り込まれた切欠きを有する請求項２に記載の蓋置き。
【請求項４】
支持平面が、少なくとも１つの開口部を有する、請求項１または２に記載の蓋置き。
【請求項５】
支持平面が、少なくとも１つの液溜りを有する、請求項１〜３のいずれか一項に記載の蓋置き。
【請求項６】
剛性材料からなる、請求項１〜４のいずれか一項に記載の蓋置き。
【請求項７】
係止部と、連結部と支持平面との下端がほぼ同一の平面に存在する請求項１〜６のいずれか一項に記載の蓋置き。
【請求項８】
請求項１〜７のいずれか一項に記載の蓋置きを係止した容器。
【考案の詳細な説明】
【技術分野】
【０００１】
本考案は、容器の蓋の置き具に関する。
【背景技術】
【０００２】
一般に蓋つきの容器は、蓋を開栓し容器から分離した場合、複数の容器間での蓋の混同や、蓋の落下、汚損、紛失、汚染などの問題を招来し得る。このことは、とりわけ試験研究機関や医療機関などで用いられる容器においては深刻な問題となり得る。
【０００３】
従来、上記蓋の落下等を防ぐための実験用容器の補助具として、開栓した栓の置き場所を容器に後付けで付ける装置が考案されている。例えば、実開昭和５６−１５１６４７号公報（特許文献１）には、実験用容器であるフラスコの首部に固定することで、実験用容器の栓を置くことができる実験用容器の補助具が開示されており、これによって、実験用器具から分離した栓の汚染や他の栓との混同を防ぐことができることなどが示されている（特許文献１の２頁１０〜１３行、３頁４行〜４頁９行など）。しかし、かかる補助具は実験用の特定の形状の容器の上部に握持する取り付けを想定した取り付け部と、特定の実験用容器の栓の保持を想定したホルダーの構造となっており、多様な容器の径に対応して装着する構造、また、蓋を伏せて平面に置く構造となっていない。
【０００４】
また、従来のキャップホルダーとして、蓋類を本体容器に接続することで蓋類の紛失を防ぐ構造のものが提案されている。例えば、特開２００６−２６４７７９号公報（特許文献２）には、蓋にリング部分をはめて容器の首部にぶら下げることで蓋の落下、紛失を防ぐ吊るし具が示されている（特許文献２の［０００９］、［００１０］など）。しかしながら、かかる吊るし具は、硬質な素材を採用しないため吊るした蓋の向きが安定せず、蓋の内側に付着した内容物の飛沫や液だれのような問題が存在する。
【０００５】
また、例えばプラスチックボトルの外したキャップを置く場所を設けたキャップホルダー付きボトルが特開２０００−１０９０７５号公報（特許文献３）に示されているが、ボトルに置き場所を予め作り付けておかなければならず、後付けでどのような容器にも蓋の置き場所を装着できるものではない。
【０００６】
さらに、例えば、実用新案登録第３１１５９３３号公報（特許文献４）には、蓋の離脱、紛失防止テープ付きキャップとして、両面テープを用いて蓋を容器に接着させておく考案が存在する（特許文献４の[０００４]、［０００７］など）。しかし、蓋を容器に再び装着する際に、相当程度の力で接着させた蓋と容器を握り剥離して分離しなければならず、片手で簡便に蓋を装着することができない。
【先行技術文献】
【特許文献】
【０００７】
【特許文献１】実開昭和５６−１５１６４７号公報
【特許文献２】特開２００６−２６４７７９号公報
【特許文献３】特開２０００−１０９０７５号公報
【特許文献４】実用新案登録第３１１５９３３号公報
【考案の概要】
【考案が解決しようとする課題】
【０００８】
本考案の課題は、容器から取り外した蓋類の混同や、作業机の甲板等や床面への蓋類の落下、汚損、紛失、汚染を防ぎ、また汎用性のある器具を提供することにある。
【課題を解決するための手段】
【０００９】
上記課題を解決するため、本考案者は、鋭意研究を重ねる中で、容器に係止させる蓋置きの平面に壁部を備えさせることで上記課題が解消されることを見出し、さらに鋭意研究を重ねた結果、本考案を完成するに至った。
【００１０】
したがって本考案は、以下の蓋置きに関する。
［１］蓋付き容器に係止させる係止部と、係止部と連結部を介して一体となる蓋を置くための置き部とを備え、置き部が、蓋の下端を支持する支持平面を備え、支持平面の少なくとも係止部から遠位側に立設された壁部とを備えてなる、蓋置き。
［２］置き部が、支持平面の全周に亘って壁部が設けられてなる、［１］に記載の蓋置き。
［３］置き部の支持平面の全周に亘る壁部に、蓋の持ち上げのための切欠きを有する、［２］に記載の蓋置き。
［４］支持平面が、少なくとも１つの開口部を有する、［１］〜［３］のいずれか一項に記載の蓋置き。
［５］支持平面が、少なくとも１つの液溜りを有する、［１］〜［４］のいずれか一項に記載の蓋置き。
［６］剛性材料からなる、［１］〜［５］のいずれか一項に記載の蓋置き。
［７］係止部と、連結部と支持平面との下端がほぼ同一の平面に存在する［１］〜［６］のいずれか一項に記載の蓋置き。
［８］［１］〜［７］のいずれか一項に記載の蓋置きを係止した容器。
【考案の効果】
【００１１】
本考案に係る蓋置きは、上記の構成を採用することにより、容器の首部に係止した際には置き部の支持平面が傾斜して静止した状態となっても、該平面に対して蓋を安定した状態で置くことができ、蓋の落下による紛失、汚損、作業環境の汚染が防止される。また、蓋置きの係止部の内側の径が係止対象となる容器の口部と首部の径より大きくさえあれば容器に傾斜して係止されていても、蓋を保持することが可能であるため、係止対象の容器の胴部の径の大きさや水平断面の形状に制限されることが少なく、多種多様な容器に後付けで蓋置きを付加でき、汎用性に優れている。加えて、蓋を伏せて置き部の支持平面に配置できることから、蓋の配置時には蓋の裏側が空気中の浮遊物により汚染することを防ぐことができ、また再装着時には蓋の上下の向きを変える必要がない。蓋の開閉に際しては片方の手で、該平面に伏せた状態の蓋を持ち上げて容器に被せ、ねじることで蓋の容器への装着が可能であることから、容易に蓋を容器に装着することが可能であり、特に、実験中、他の器具を保持し、あるいは手袋等をした状態で、簡易に、迅速に、蓋の配置と装着をすることができる。
【００１２】
本考案に係る蓋置きのうち、支持平面に開口部を有するものについては、使用後に洗浄し、繰り返し利用する際に有利である。また、本考案に係る蓋置きの壁部や液溜りは蓋の内側や裏側に付着した容器の内容物の蓋置きからの液だれを防止することが達成される。
【図面の簡単な説明】
【００１３】
【図１】図１は、本考案による蓋置きの一態様(実施態様１)を示す斜視図である。
【図２】図２は、本考案による蓋置きの一態様(実施態様１)を示す平面図である。
【図３】図３は、本考案による蓋置きの一態様(実施態様１)を示す側面図である。
【図４】図４は、本考案による蓋置きの一態様(実施態様２)を示す斜視図である。
【図５】図５は、本考案による蓋置きの一態様(実施態様２)を示す平面図である。
【図６】図６は、本考案による蓋置きの一態様(実施態様２)を示す側面図である。
【図７】図７は、本考案による蓋置きの一態様(実施態様２)を容器に装着し蓋を置いて使用した状態を示す図である。
【考案を実施するための形態】
【００１４】
以下、本考案の蓋置きについて図面に基づき説明するが、本考案はこれらに限定されるものではない。また、各図において、説明を容易とするため、各部材の大きさは、適宜強調されている場合があり、図示の各部材は、必ずしも実際の大きさ、比率を示すものではない。
【００１５】
本考案における「容器」とは、例えば口部、首部、肩部、胴部を有する容器など、起伏のある形状を有する容器を意味する。かかる容器として、例えば、ねじ口びんなどの試薬瓶などがある。
【００１６】
本考案における容器の「蓋」とは、容器の口を塞ぐものを意味し、容器から取り外し可能である。
【００１７】
本考案の一態様は、蓋のついた容器に係止させる係止部と、係止部と連結部を介して一体となる蓋を置くための置き部を備え、置き部が、蓋の下端を支持する支持平面を備え、支持平面の少なくとも係止部から遠位側に立設された壁部とを備えてなる、蓋置きである。
【００１８】
本考案における「係止部」とは、図１に示すように本考案による蓋置き１０のうち、容器に係止して蓋置き１０を係止する部分を意味する。かかる係止部２０の形状は、容器の首部または肩部に係止することができれば特に限定されず、例えば、曲線または直線で構成される鉤状、または円形、楕円形、または三角形、四角形などの多角形状などの開口を有する形状がある。例えば図７の使用例において示されるように、係止部２０は、容器の首部に上から挿通され、容器肩部、または胴部の水平断面径が係止部２０の開口の内径より大きい状態に至る場合に、当該水平断面径を有する容器外面の少なくとも一部に、係止部２０の開口の内側の辺の少なくとも一部が接触することによって、容器の首部あるいは肩部に係止することができる。
このとき、蓋置き１０は置き部の重みにより係止部２０から遠位の重力方向に向かい傾斜した状態になり、係止部２０の開口は、開口を構成する円の周辺のうち、置き部から遠位の点が容器の首部の一部に接し、それ以外の辺の一部が容器の肩部の表面に接して支えられた状態となって係止される。容器の首部に接している点から遠位に位置する置き部に、置き部自体の重さまたは、置き部に乗せた蓋と置き部の重さによる垂直方向への重力がかかることから、該接点に力が作用し安定した容器への係止が達成される。係止部２０の開口の内側の円は、円周の辺の全部が容器の肩部に必ずしも触れずとも、係止が可能であるため、円の径が容器首部あるいは肩部の水平断面の径と一致する必要はない。
このことは、係止部２０の開口の形状が円形状でない場合も同様である。これらのことから、係止対象の容器の首部、肩部、胴部の水平断面の形状や断面の径の値の選択を柔軟に選択でき、置き具の係止に汎用性があるという利点がある。
【００１９】
本考案における蓋置きの「置き部」は、図１に示すように本考案による蓋置き１０のうち、取り外した蓋を伏せて配置する支持平面３０と壁部６０で構成される。支持平面３０は蓋の下端を支持し、壁部６０は支持平面の少なくとも係止部２０から遠位側に立設されるが、取り外した蓋を伏せて、その下端を支持平面３０に載せるため、安定的な蓋の配置が可能である。かかる置き部の構成としては、容器から取り外した蓋を、蓋の内側を下に向けて配置できれば特に限定されないが、例えば、図１で示されているように、置き部は蓋の下端の平面を受ける広さを備えた支持平面３０と、支持平面３０に置き部の係止部２０から遠位側の周辺に立設して壁部６０を備えることができる。したがって、本考案の蓋置き１０は蓋が滑り落ちるのを防ぐことができる。
【００２０】
本考案における「連結部」は、図１〜３に示されるように、本考案による蓋置き１０のうち、容器に係止させる係止部２０と容器から取り外した蓋を配置する置き部の支持平面３０を連結する部分である。また、連結部５０による連結により係止部２０の開口または鉤状の構造が存在する平面と、置き部の支持平面３０がほぼ同一平面に存在する状態が確保されるため、容器の首部に対して蓋置き１０を係止した場合に、置き部の支持平面３０が一定の角度で形成され、それにより、安定的な蓋の配置が実現される。連結部の形状は係止部２０と置き部を連結し蓋の安定的配置が達成されることができれば特に限定されないが、例えば図２の平面図で示されるように係止部２０と支持平面３０と同じ幅を有する平面で構成される形態のものがある。
連結部５０の大きさや幅については、容器の口部に補助器具などを設置した場合、本考案の蓋置き１０の使用時には、支持平面３０に配置した蓋や、壁部６０が補助器具に干渉することが考えられるが、そのような干渉を回避、防止しうる程度に、係止部２０から置き部までの距離が確保されるものであればよい。
【００２１】
本考案における、支持平面の少なくとも係止部から遠位側に立設された「壁部」とは、図１〜３に示すように本考案による蓋置き１０のうち、置き部の係止部２０から遠位側に支持平面３０に立設された壁部６０を意味する。かかる壁部６０は、傾斜して係止された蓋置き１０の支持平面３０に蓋を配置しても、蓋が重力方向に滑り落ちるのを防止することができる。また、水平に係止した本考案の蓋置き１０においても、例えば、容器を傾けたり作業者の手がぶつかるなどの衝撃が加えられても、配置した蓋が置き部の支持平面３０から滑り落ちることを防止する。かかる壁部６０の形状としては、置き部に置かれた蓋が係止部２０から遠位方向に落下することを防止できれば特に限定されない。さらに、蓋の内側に付着している容器の内容物である液体などが垂れたとしても、支持平面３０と壁部６０との間に溜まることにより液だれを防ぎ得る。例えば図１、図３の壁部６０に示されたように、置き部の係止部２０から遠位側の周囲部分にのみ立設され、置き部に配置された蓋の側面に接することで蓋の重力方向への落下を防止し、かつ、液だれを防止する、置き部の円周の半円上に立設する形のものがある。
【００２２】
また、本考案の蓋置き１０は置き部が、支持平面の全周に亘って壁部が設けられてなることも可能である。図４に示されるように、本考案における蓋置き１０の支持平面３０には全周に亘り壁部６０を設けることができ、容器の首部方向に蓋がずれて落下することを防ぐことができる。また、全周に壁部が立設していることで、蓋の内側に付着している容器の内容物である液体などが垂れたとしても、支持平面３０との傾き方向に依らず液だれを防ぐことができる。
【００２３】
本考案の蓋置き１０のうち、置き部が支持平面の全周に亘って壁部を設けられてなる蓋置きには、置き部の支持平面の全周に亘る壁部に蓋の持ち上げのために切り込まれた「切欠き」を有する蓋置きであってもよい。図４、６、７に示されるように、本考案における蓋置き１０の壁部６０には蓋の持ち上げのために切り込まれた切欠き７０が備えられている。切欠き７０は壁部６０が支持平面３０の全周に備えられることで、容器の開閉に際し、支持平面３０に対して蓋の配置、また持ち上げがし難くなることを解決し、蓋の配置、持ち上げが容易になるように備えられている。一方で、切欠き７０は壁部６０の上部の一部を切り込んであるに留まるため、壁部６０がその下部と支持平面３０との間で液だれを防ぐ役割を損なうことはなく、蓋の配置、持ち上げを容易になすことが達成される。
【００２４】
本考案の蓋置きには、前述までの態様に加えて、支持平面が、少なくとも１つの開口部を有するものであってもよい。すなわち、蓋置き１０は、置き部の支持平面３０に設けられた水抜きのための開口部４０を備えることができる。「開口部」とは、図４、５に示されるように、置き部の支持平面３０に設けられた、少なくとも１つの開口を意味する。支持平面３０に取り外した蓋を伏せて配置した際、配置した蓋の内側に付着した容器の内容物が支持平面３０に付着し得るところ、蓋置き１０を容器から取り外して洗浄する際に、開口部４０が設けられていることで、効果的な洗浄、迅速な乾燥が可能となる。これにより、蓋置き１０を再度利用することが可能となる。なお、洗浄は図７のように容器に係止したままで洗浄することも可能である。
【００２５】
また、本考案の蓋置きは、前述までの態様に加えて、支持平面が、少なくとも１つの液溜りを有する態様のものであってもよい。ここで「液溜り」とは、支持平面において低位、あるいは溝状に設けられた部分を指し、蓋の内側に付着した容器の内容物が蓋の配置に伴い、支持平面に垂れた場合に、その液体物が支持平面の外側周囲に垂れることなく溜まるものである。開口部の周囲の辺を支持平面からみて盛り上がった高さのものにすることで、支持平面３０が壁部６０と開口部周辺の辺との関係においてより低位の状態になることを実現し、溝のような部位として液が溜まる部分を設けてもよい。該実施態様においては液だれにも対処しつつ、水抜きの機能を損なうことなく、洗浄時の乾燥を実現することが可能となる。
【００２６】
本考案による蓋置きの材質は、自重および容器の蓋の重さを支持することができ、容器に係止した際に置き部の支持平面が蓋を安定して支持することができる程度に硬質のものであれば特に限定されず、平面として蓋および蓋置きの重量を支持可能であれば、素材は可撓性を有していてもよい。重量を安定的に支持可能で、かつ可撓性を有する素材で構成することで、係止した際に蓋置きと容器の摩擦によっても安定的な係止が得られるとともに置き部の平面が安定し、置き部に置いた蓋が一定の方向で保持される。また、剛性のものであれば係止部から連結部および支持平面に至る一体的な平面の形成と維持ができる点で有利である。素材としては、例えば、容器に充填する薬品によっては金属や木材など腐食されない素材や、ＡＢＳ樹脂、ＰＬＡ樹脂などの３Ｄプリンタで用い得る樹脂などであってもよい。
本考案による蓋置きは、係止部の内側が容器の首部、肩部、胴部の水平断面の外周の少なくとも一部に接することから、材質による重量にかかわらず、容器の安定的な係止をもたらすことができるが、係止する対象の容器が垂直方向に細長い形状のものである場合には、蓋置きの重量が蓋置きの係止により対象容器を傾かせ、転倒させてしまう虞があることから、蓋置きの重量が容器の本体重量より軽量となる素材であることが好ましい。
【００２７】
本考案による蓋置きの大きさは、容器に安定して係止することができるものであれば限定されない。例えば、係止部は、容器の口部および首部の水平断面の径より大きく、かつ容器の胴部の水平断面の径より小さな内径で構成される円形の開口を有することで、容器の口部と首部を開口へ挿通させることができ、容器の首部から胴部に至るまでの肩部の水平断面の径が次第に大きく変化するに伴って、該肩部の中途で係止部の開口への挿通が止まる。このとき、蓋置きは水平か、置き部の重みにより係止部から遠位の重力方向に向かい傾斜した状態になり、係止部の開口は内側の円弧の置き部から遠位の点が容器の首部の一部に接し、それ以外の円弧の一部が容器の肩部の表面に接して支えられた状態となって係止される。接している点から遠位に、係止部の一部が首部の水平断面の円周の一部に接する点があること、置き部に蓋と置き部自体の重さによる垂直方向への重力がかかることから、安定した容器への係止が達成されるが、係止部の円周は水平方向に円弧の全部が容器胴部の断面に必ずしも触れずとも、係止は可能であるため、円形の径が容器胴部の水平方向の断面の径と一致する必要はない。
【００２８】
また、連結部の大きさは特に限定されないが、実験等のために容器の補助器具を容器口部に装着する際に使用するときには本考案の蓋置きを係止し、置き部に抜栓した蓋を配置したまま、実験等のための補助器具を容器口部に接合し作業をする際に、蓋および壁部が補助器具に干渉しない程度に、係止部から置き部までの距離が保たれるものであればよい。
【００２９】
本考案による蓋置きの色彩は、特に限定されないが、例えば、材料に応じて不透明、半透明、または透明でもよい。色彩を複数種類採用し、複数の容器の外貌が酷似する場合に、本考案の蓋置きの色を使い分けることで容器の内容物の分別の目標となる利用法が可能である。
【００３０】
(実施態様１)
図１に示すとおり、本考案の一態様は、蓋のついた容器に係止させる係止部２０と、係止部２０と連結部５０を介して一体となる蓋を置くための置き部を備え、置き部が、蓋の下端を支持する支持平面３０を備え、支持平面３０の少なくとも係止部２０から遠位側に立設された壁部６０とを備えてなる、蓋置き１０である。
【００３１】
図１〜図３は本考案の蓋置きの一態様である遠位部の壁部立設型の蓋置き１０の実施態様１を示す。素材はＡＢＳ樹脂を用いて作成される。蓋置き１０は、係止部２０、置き部３０、連結部５０とが一体として形成されているため、積層によって３Ｄプリンタで作製されることができ、各部分の下端が同一の平面上に存在しているため、同時に一つの平面上で一体形成により製造することが可能であるため、簡単かつ低コストで製造することができる。
【００３２】
本実施態様では、図１、図３に示されるように、置き部の係止部２０から遠位側の周囲部分にのみ立設され、置き部に配置された蓋の側面に接することで蓋の重力方向への落下を防止し、かつ、液だれを防止できる、置き部の円周の半円上に立設する形の壁部６０を備える。
【００３３】
(実施態様２)
図４〜図７は本考案の蓋置きの一態様である支持平面の全周に亘って壁部を備え、かつ支持平面３０が、少なくとも１つの開口部を有する型の蓋置き１０を有している。
【００３４】
本考案は、蓋のついた容器に係止させる係止部２０と、係止部２０と連結部５０を介して一体となる蓋を置くための置き部を備え、置き部が、蓋の下端を支持する支持平面３０を備えている点、係止部２０、連結部５０の形状や特徴、機能についても実施態様１と共通しているが、壁部６０が支持平面３０の全周に亘って備えられている点、全周に亘り備えられた壁部６０の一部が切り込まれた切欠き７０を有し、また支持平面３０が、１つの開口部４０を有する点が、実施態様１と異なっている。一方で、実施態様２においても、係止部２０、置き部の支持平面３０、開口部４０、連結部５０が同一平面上に存在し、支持平面３０から立設する壁部６０も積層で形成されることから容易にベース部分を作成でき、３ＤプリンタによりＡＢＳ樹脂もしくはＰＬＡ樹脂により容易に製造することができた。図７で示すように、蓋置き１０は実験用の薬瓶の首部に掛止して使用され、薬瓶の蓋を伏せて配置することで蓋の安定的な配置が達成されている。また、全周に亘る壁部６０は蓋のずれを防止し、かつ置き部は液だれを防止している。係止部の円形の開口の直径は約３．３ｃｍ、開口部の径は約１．８ｃｍ、置き部の幅は約３．５ｃｍである。素材はＡＢＳ樹脂を用いて作成されたため、係止時に蓋を配置しても薬瓶の蓋と置き部の重さに対して撓まない剛性と、瓶を傾倒させない軽量さを備えている。
【００３５】
以上の記述から明らかなように、本考案の蓋置きには種々の態様による実現が考えられるが、上記に限定されない。
【産業上の利用可能性】
【００３６】
本考案による蓋置きは、係止部２０、置き部、置き部に設けられた水抜きのための開口部４０、連結部５０のそれぞれの下端が同一平面上にある。これによって、積層によって蓋置き１０を製造する場合のベース部分の製作が容易となり、例えば３Ｄプリンタなどにより簡単に蓋置きを製造することができる。簡単な構造であり製造コストの点で有利であり、汎用性に優れ、容器の蓋の落下による汚損、混同による汚染を防ぐことができることから、実験や産業上の制作の場面においても安全で効果的な器具の利用に資するものである。
【符号の説明】
【００３７】
１０  蓋置き
２０  係止部
３０  支持平面
４０  開口部
５０  連結部
６０  壁部
７０  切欠き
【図１】
0003218581.tif 000003
【図２】
0003218581.tif 000004
【図３】
0003218581.tif 000005
【図４】
0003218581.tif 000006
【図５】
0003218581.tif 000007
【図６】
0003218581.tif 000008
【図７】
0003218581.tif 000009